(57)【特許請求の範囲】
【請求項１】
移動端末であって、
移動端末のケーシングの表面に設置され、異なる温度で異なる色を示す変色層と、
前記移動端末内に設置され、前記変色層に接続され、前記変色層に熱を供給する温度制御モジュールと、
前記移動端末内に設置され、中に芳香源が貯蔵される芳香源のキャビティと、
前記移動端末内に設置され、その一端が前記芳香源のキャビティに連通され、他端が芳香源通路に連通される芳香制御モジュールと、
前記ケーシングに設置され、前記芳香制御モジュールを介して前記芳香源のキャビティに連通される芳香源通路と、
前記ケーシングに設置されるカメラと、
前記移動端末内に設置され、一端が前記カメラに接続され、他端が前記温度制御モジュール及び芳香制御モジュールに接続され、前記カメラから送信してきた色の情報に従って情報処理を行い、且つ相応する指令を生成して前記温度制御モジュールと芳香制御モジュールの動作を制御することができ、従って前記移動端末に相応の色とにおいを生成させるアソシエーション制御モジュールとを備える移動端末。
【請求項２】
前記移動端末に設置され、前記温度制御モジュールに接続され、且つ前記温度制御モジュールの動作を制御する温度制御スイッチをさらに備える請求項1に記載の移動端末。
【請求項３】
前記移動端末に設置され、前記芳香制御モジュールに接続され、且つ前記芳香制御モジュールの動作を制御する芳香制御スイッチをさらに備える請求項1に記載の移動端末。
【請求項４】
前記移動端末内に設置され、前記カメラに接続されるカラーセンサーと、
前記移動端末に設置され、前記アソシエーション制御モジュールに接続され、且つ前記アソシエーション制御モジュールの動作を制御するアソシエーション制御スイッチとをさらに備える請求項1に記載の移動端末。
【請求項５】
前記変色層内に感熱材料を含んでいる請求項1に記載の移動端末。
【請求項６】
前記芳香源通路は前記ケーシングの表面に設置された微細通気口である請求項1に記載の移動端末。
【請求項７】
前記アソシエーション制御モジュールは、
比較ユニットに接続され、中に色の情報が記憶されている記憶ユニットと
それぞれ前記カメラと比較ユニットに接続され、前記カメラから送信してきた情報を色の収集して前記比較ユニットに送信する収集ユニットと、
それぞれ前記記憶ユニット、収集ユニット及び指令ユニットに接続され、前記収集ユニットから送信してきた色の情報と記憶ユニットにおける色とを比較し、最も近似する色の情報を見つけて、該色の情報を前記指令ユニットに送信する比較ユニットと、
前記比較ユニット、温度制御モジュール及び芳香制御モジュールに接続され、前記比較ユニットから送信してきた色の情報に従って制御指令を生成し、前記温度制御モジュールと芳香制御モジュールの動作を制御する指令ユニットを備える請求項1に記載の移動端末。
【発明の詳細な説明】
【技術分野】
【０００１】
本発明は移動端末に関する。
【背景技術】
【０００２】
携帯電話、MP3プレーヤー、MP4プレーヤー及び小型ゲーム機等の移動端末の普及にしたがって、ますます多くの市場のメーカーは移動端末の分野に展開し、これは、一方では移動端末の品質を向上させ、他方では消費者の消費期待値も向上させる。消費者の個性的な需要はますます強くなり、携帯電話等の移動端末への要求は、品質のよさと機能性等の内在条件だけに限定されるのではなく、外観への要求もますます高くになっている。消費者は往々にして外観設計が平凡で重複する携帯電話等の移動端末に対して興味がなくて、外観が個性的で且つ自分の身分に合う携帯電話等の移動端末に対して夢中になる。今の携帯電話等の移動端末は外観が通常変化せず、多くとも1つ又は2つのケーシングを変換することが可能であり、且つケーシングの交換操作は面倒である。また、今の携帯電話等の移動端末は外観が形だけに限られ、他の要素が欠乏し、いかにも単調に見え、もう人々の日一日と高まる消費個性需要を満たすことができなくなる。
【発明の概要】
【発明が解決しようとする課題】
【０００３】
本発明の目的は移動端末を提供し、移動端末の外観が単調である従来技術の問題を解決することである。
【課題を解決するための手段】
【０００４】
上記問題を解決するために、本発明は移動端末を提供し、前記移動端末は、
移動端末のケーシングの表面に設置され、異なる温度で異なる色を示す変色層と、
前記移動端末内に設置され、前記変色層に接続され、前記変色層に熱供給する温度制御モジュールを備える。
【０００５】
前記移動端末は、さらに、前記移動端末に設置され、前記温度制御モジュールに接続され、且つ前記温度制御モジュールの動作を制御する温度制御スイッチを備える
前記移動端末は、さらに、
前記移動端末内に設置され、その内に芳香源が貯蔵される芳香源のキャビティと、
前記移動端末内に設置され、その一端が前記芳香源のキャビティに連通され、他端が芳香源通路に連通される芳香制御モジュールと、
前記ケーシングに設置され、前記芳香制御モジュールを介して前記芳香源のキャビティに連通される芳香源通路を備える。
【０００６】
前記移動端末は、さらに、前記移動端末に設置され、前記芳香制御モジュールに接続され、且つ前記芳香制御モジュールの動作を制御する芳香制御スイッチを備える。
【０００７】
前記移動端末は、さらに、
前記移動端末内に設置され、前記カメラに接続されるカラーセンサーと、
前記移動端末内に設置され、一端が前記カメラに接続され、他端が前記温度制御モジュール及び/又は芳香制御モジュールに接続されるアソシエーション制御モジュールと、
前記移動端末に設置され、前記アソシエーション制御モジュールに接続され、且つ前記アソシエーション制御モジュールの動作を制御するアソシエーション制御スイッチを備える。
【０００８】
本発明の前記移動端末において、前記変色層内に感熱材料を含んでいる。
本発明の前記移動端末において、前記芳香源通路は前記ケーシングの表面に設置された微細通気口である。
【０００９】
本発明の前記移動端末において、前記アソシエーション制御モジュールは、
比較ユニットに接続され、その内に色の情報が記憶されている記憶ユニットと
それぞれ前記カメラと比較ユニットに接続され、前記カメラから送信してきた情報を色の収集して前記比較ユニットに送信する収集ユニットと、
それぞれ前記記憶ユニット、収集ユニット及び指令ユニットに接続され、前記収集ユニットから送信してきた色の情報と記憶ユニットにおける色とを比較し、最も近似する色の情報を見つけて、該色の情報を前記指令ユニットに送信する比較ユニットと、
前記比較ユニット、温度制御モジュール及び芳香制御モジュールに接続され、前記比較ユニットから送信してきた色の情報に従って制御指令を生成し、前記温度制御モジュールと芳香制御モジュールの動作を制御する指令ユニットを備える。
【発明の効果】
【００１０】
本発明による移動端末は異なる移動端末のユーザの需要及び環境の変化に従って色とにおいの変化を行うことができ、以下のメリットを有する。
1、本発明は変色層を採用し、該変色層は温度制御モジュールの制御の下で変色することができ、移動端末のユーザは自分の需要に従って、温度制御スイッチの操作によって色の選択を行なうことができ、個性が非常に強く、且つ操作しやすく、選択範囲が広い。
2、本発明はさらに芳香源のキャビティを採用して芳香源を貯蔵し、芳香制御モジュールの制御の下で芳香源通路を介して揮発し出し、移動端末のユーザは自分の需要に従って、芳香制御スイッチの操作制御によって、移動端末のにおいの選択を実現することができ、個性が非常に強く、且つ操作しやすく、選択範囲が広い。
3、本発明はさらにカメラ及びカラーセンサーを採用して色の収集を行い、本発明に環境特徴に従って色、においを変化させ、移動端末のユーザに奇妙な視覚及び嗅覚の体験を与える。且つ該体験は完全に自動化され、移動端末のユーザの操作が不要で、非常に便利である。
4、本発明は簡単で、便利であり、種々の使用者に適し、異なる視覚及び聴覚の需要を満足させ、且つ移動端末のユーザの新奇を求める及び変化を求めるという気持ちを満足させ、市場見通しが広く、量産して普及使用することができる。
【図面の簡単な説明】
【００１１】
【図１】図1は本発明の実施例の移動端末を示す構造模式図である。
【図２】図2は本発明の実施例の移動端末におけるアソシエーション制御モジュールを示す構造模式図である。
【発明を実施するための形態】
【００１２】
本発明の目的、技術案及びメリットをより明らかにするため、以下、図面を参照して本発明の実施例を詳しく説明する。ただし、衝突しない場合に、本出願における実施例及び実施例の特徴が互いに任意に組み合わせることができる。
【００１３】
図1に示すように、本発明の実施例の移動端末は、変色層11、温度制御モジュール12及び温度制御スイッチ13を備える。そのうち、変色層11は種々の色を変化することに用いられ、温度制御モジュール12は該変色層の変色を制御することに用いられ、及び温度制御スイッチ13は温度制御モジュールの動作を人工操作にて制御することに用いられる。
【００１４】
変色層11は移動端末5のケーシング51の表面に設置され、変色層11は異なる温度で異なる色を示すことができる。変色層11は青色、緑色、赤色、及び黄色などの普通の色が設置されてもよく、草緑色、空色、及び浅灰色等の個性的色を含んでも良い。変色層11の変色過程は温度の変化にて制御され、変色層11は異なる温度状態で異なる色を示す。本発明において、変色層11には感熱材料を含んでいる。
【００１５】
温度制御モジュール12は移動端末5内に設置され、温度制御モジュール12は変色層11に接続され、且つ変色層11に熱供給することができる。温度制御モジュール12内には異なる色に対応する異なる温度情報が設置され、実現しようとする色に従って、変色層11を加熱し、且つ該温度で変化せず、従って変色層11の異なる色範囲内の切り替え又は不変を実現する。
【００１６】
温度制御スイッチ13は移動端末5に設置され、温度制御スイッチ13は温度制御モジュール12に接続され、且つ温度制御モジュール12の動作を制御する。温度制御スイッチ13は移動端末のユーザの操作に便利で、移動端末のユーザの自分の需要に従って移動端末5の色を変換する。
【００１７】
本発明の実施例は変色層11を採用し、該変色層11は温度制御モジュール12の制御の下で変色することができ、移動端末のユーザは自分の需要に従って温度制御スイッチ13の操作によって色の選択を行なうことができ、個性が非常に強く、且つ操作しやすく、選択範囲が広い。
【００１８】
本発明の実施例において、移動端末はさらに芳香源のキャビティ21、芳香制御モジュール22、芳香制御スイッチ23及び芳香源通路24を備える。そのうち、芳香源のキャビティ21は芳香源を貯蔵することに用いられ、芳香制御モジュール22は芳香源通路24と芳香源キャビティ21との連通を制御することに用いられ、芳香制御スイッチ23は移動端末のユーザが操作を行うことに用いられ、芳香源通路24は外へ香りを揮発することに用いられる。
【００１９】
芳香源キャビティ21は移動端末5内に設置され、芳香源キャビティ21の内に芳香源が貯蔵される。芳香源21は種々あり、移動端末5内に予めに設けられ、それぞれ閉鎖され、且つそれぞれ芳香制御モジュール22を介して芳香源通路24に連通される。芳香源の主な材料は香料で、在庫は耐用年数に従って設置される。
【００２０】
芳香制御モジュール22は移動端末5内に設置され、芳香制御モジュール22は一端が芳香源キャビティ21に連通され、他端が芳香源通路24に連通される。芳香制御モジュール22は需要に応じて異なる芳香源キャビティ21を開いて、相応するにおいが発生する。
【００２１】
芳香制御スイッチ23は移動端末5に設置され、芳香制御スイッチ23は芳香制御モジュール22に接続され、且つ芳香制御モジュール22の動作を制御する。芳香制御スイッチ23は移動端末のユーザの操作使用に便利で、自分の需要に従って異なるにおいを選択する。
【００２２】
芳香源通路24はケーシング51に設置され、芳香源通路24は芳香制御モジュール22を介して芳香源のキャビティ21に連通される。本発明において、芳香源通路24はケーシング51の表面に設置された微細通気口である。
【００２３】
本発明の実施例はさらに芳香源のキャビティ21を採用して芳香源を貯蔵し、且つ芳香制御モジュール22の制御の下で芳香源通路24を介して揮発し出し、移動端末のユーザは自分の需要に従って、芳香制御スイッチ23の操作制御によって移動端末5のにおいの選択を実現することができ、個性が非常に強く、且つ操作しやすく、選択範囲が広い。
【００２４】
本発明の実施例において、移動端末はさらにカメラ31、カラーセンサー32、アソシエーション制御モジュール33及びアソシエーション制御スイッチ34を備える。そのうち、カメラ31は撮影に用いられ、カラーセンサー32は色の感知に用いられ、アソシエーション制御モジュール33は温度制御モジュール12と芳香制御モジュール22の動作を制御することに用いられ、アソシエーション制御スイッチ34は移動端末のユーザの操作に用いられる。
【００２５】
カメラ31はケーシング51に設置され、選択的に相応する画像を撮ることができる。且つ該画像をアソシエーション制御モジュール33に送信する。
【００２６】
カラーセンサー32は移動端末5内に設置され、カラーセンサー32はカメラ31に接続される。カラーセンサー32ば相応する画像の色の情報を識別することができ、且つカメラ31を介してアソシエーション制御モジュール33に送信する。
【００２７】
アソシエーション制御モジュール33は移動端末5内に設置され、アソシエーション制御モジュール33は一端がカメラ31に接続され、他端が温度制御モジュール12と芳香制御モジュール22に接続される。アソシエーション制御モジュール33はカメラ31から送信してきた色の情報に従って情報処理を行い、且つ相応する指令を生成して温度制御モジュール12と芳香制御モジュール22の動作を制御することができ、従って該移動端末5に相応の色とにおいを生成させる。例えば、移動端末5のケーシング51は色が黄色で、においがバナナのにおいであり、移動端末5のケーシング51は色が赤色で、においがりんごのにおいであり、移動端末5のケーシング51は色が緑色で、においがバニラのにおいである。人々に臨場感を与え、効果がもっと優れる。
【００２８】
アソシエーション制御スイッチ34は移動端末5に設置され、アソシエーション制御スイッチ34はアソシエーション制御モジュール33に接続され、且つアソシエーション制御モジュール33の動作を制御する。移動端末のユーザは自分の需要に従って該アソシエーション制御スイッチ34を操作し制御し、従って色とにおいのアソシエーション制御を実現する。
【００２９】
本発明の実施例はさらにカメラ31及びカラーセンサー32を採用して色の収集を行い、本発明に環境特徴に従って色、においを変化させ、移動端末のユーザに奇妙な視覚及び嗅覚の体験を与える。且つ該体験は完全に自動化され、移動端末のユーザの操作が不要で、非常に便利である。
【００３０】
図2に示すように、本発明の実施例において、アソシエーション制御モジュール33は記憶ユニット41、収集ユニット42、比較ユニット43及び指令ユニット44を備える。各ユニットの接続動作は下記の通りである。
【００３１】
記憶ユニット41は比較ユニット43に接続され、記憶ユニット41内には色の情報が記憶されている。
【００３２】
収集ユニット42はそれぞれカメラ31と比較ユニット43に接続され、収集ユニット42はカメラ31から送信してきた情報を色の収集して比較ユニット43に送信し、
比較ユニット43はそれぞれ記憶ユニット41、収集ユニット42及び指令ユニット44に接続され、比較ユニット43は収集ユニット42から送信してきた色の情報と記憶ユニット41における色とを比較し、最も近似する色の情報を見つけて、該色の情報を指令ユニット44に送信し、
指令ユニット44は比較ユニット43、温度制御モジュール12及び芳香制御モジュール22に接続され、指令ユニット44は比較ユニット43から送信してきた色の情報に従って制御指令を生成し、温度制御モジュール12と芳香制御モジュール22の動作を制御する。
【００３３】
本発明は簡単で、便利であり、種々の使用者に適し、異なる視覚及び聴覚の需要を満たさせ、且つ移動端末のユーザの新奇を求める及び変化を求めるという気持ちを満たさせ、市場見通しが広く、量産して普及使用することができる。
【００３４】
要するに、以下は本発明の好ましい実施例しかに過ぎず、本発明の保護範囲を制限するものではなく、従って、本発明の思想と原則の内に行なった如何なる修正、同等交替、改良などはいずれも本発明の保護範囲内に含まれるべきである。
【産業上の利用可能性】
【００３５】
本発明による移動端末は異なる移動端末のユーザの需要及び環境の変化に従って、色とにおいなどの変化を行い、個性が非常に強く、且つ操作しやすく、選択範囲が広い。本発明による移動端末は市場見通しが広く、量産して普及使用することができる。
【図１】
0005479651.tif 000002
【図２】
0005479651.tif 000003